(57)【要約】【課題】ソフトクリームやアイスクリーム、ジェラートなどが溶けて垂れてきた時に、手や衣服を汚さないよう垂れを防止でき、受け皿の表、裏面に広告を載せられる受け皿を提供する。【解決手段】ソフトクリーム、アイスクリーム、ジェラートやパフェのコーンやカップ等の保持対象物を保持する受け皿であって、受け皿本体上に、保持対象物の寸法より小さい開口穴を設けて、その開口穴には、径方向に延設された複数のスリットによって、複数の舌状片を形成し、保持対象物を開口穴の上から通し前記舌状片によって、前記保持対象物と受け皿が密に接触するところで垂れを受け止める。また、種類の異なる保持対象物を、１つの開口穴で対応できる様にする事で解決の手段とする。【選択図】図１
0003145761.tif 000002
【実用新案登録請求の範囲】
【請求項１】
ソフトクリーム、アイスクリーム、ジェラートやパフェのコーンやカップ等の保持対象物を保持する受け皿であって、受け皿本体上に、保持対象物の寸法より小さい開口穴を設けて、その開口穴には、径方向に延設された複数のスリットによって、複数の舌状片を形成し、保持対象物を開口穴の上から通し前記舌状片によって、前記保持対象物と受け皿が密に接触するところで垂れを受け止める受け皿。
【請求項２】
請求項１に記載の受け皿であって、保持対象物が異なる大きさでも、複数のスリットを入れ舌状片を形成する事によって、一番小さな保持対象物用の開口穴から、一番大きな保持対象物用の開口穴まで使用でき、その中間サイズも舌状片によって密に挟み込まれる位置で垂れを受け止められる事を特徴とする受け皿。
【請求項３】
請求項１、２に記載の受け皿であって、受け皿面に所定の印刷加工をしたことを特徴とする受け皿。
【請求項４】
請求項１、２、３に記載の受け皿であって、該受け皿の材料に紙類を使用した事を特徴とする受け皿。
【請求項５】
請求項１、２、３、４に記載の受け皿であって、該受け皿は材料に紙類を使用する為、型取るだけで、円形や、キャラクター・動物・乗り物・食べ物などの形にする事ができ、そこに簡単に貼り付け、飾り付けを加えることもできる事を、特徴とする受け皿。
【考案の詳細な説明】
【技術分野】
【０００１】本考案は、ソフトクリームやアイスクリーム、ジェラートやパフェなどを手に持っている時にクリームが溶け垂れてくるのを受け止め、手や衣服や足元の床面等を汚さないために取り付ける垂れ防止受け皿に関する。
【背景技術】
【０００２】従来、様々な垂れ防止器具が開発されているが、全体的に実用性がないため殆んど使用されていない。
なお、関連技術に下記物件がある。【０００３】
【特許文献１】実開平５−５８６４１号の公報
【特許文献２】昭和６０年−２６８８号の公報
【特許文献３】特開２００１−３１１７９号の公報
【特許文献４】特開２００５−２０４６３６号の公報
【特許文献５】登録実用新案公報３１３６３１２号
【考案の開示】
【考案が解決しようとする課題】
【０００４】以上の、特許文献１〜４に記載された垂れ防止受け皿やコーンホルダーは、やや扱いにくく、材料もシリコンゴムやゴム、プラスティックなどを使用しコストも高くなってしまう。また立体的に加工して納品するため、場所もとり、運送費も上がってしまう。そのようなことから全く知れ渡っても無く使用されていない。
特許文献５に記載の考案にはコーンの大きさ種類によって開口穴の大きさを変えなければいけない事と材質等の課題がある。
【課題を解決するための手段】
【０００５】本考案は、上記の課題に鑑みて考案したものであり、特許文献５の実用新案の改良考案である。
コーンの種類によって異なる開口穴の大きさを、コーンの入る開口穴にスリット（切り込み）を入れる事により、小さい開口穴から大きい開口穴まで対応できるようにする。また、受け皿の材料には紙類を使用し、折り曲げた時に所定の形になるように、折り曲げ加工のパターンを設け加工し、所定の形に折り曲げることができる構造にする。
使用時の上面に当たる面に所定の印刷加工を容易にできるようにするとともに上面と下面を別の印刷を容易にできるような紙類を使用して、受け皿を視認しやすくする。また、折り曲げをせずにそのまま使用できるように使用する紙類の強度を確保する。これを提供することで解決の手段とする。
【考案の効果】
【０００６】本考案は上記構成から成るので以下に示す効果が期待できる。
１・使用時に垂れを防止でき、使用者の汚れを防止できる効果が大きい。
２・上面に広告宣伝などの印刷をすることにより、宣伝媒体としても使用できる。
３・折り曲げずに使用することもでき、使用時に簡便さを向上できる。
４・コーンを巻くスリーブ（薄紙）を、紙ナプキンに変えコーンに巻きつけた後受け皿を通すので、紙ナプキンもきっちり止まり食したあと、そのナプキンで口や手を拭く事もできる。
【考案を実施するための最良の形態】
【０００７】本考案に係わる垂れ防止受け皿１は、図１に示す様にコーン２とコーンスリーブ３に取り付け使用した状態の正面図である。
コーンスリーブ３上面開口径より少し下がった位置に受け皿の開口穴７に設けられた舌状片６が密にコーン２とスリーブ３に接触するため、受け皿１より下に垂れることを防止できる。【０００８】図２は、カップ４や容器にも対応した状態の斜視図である。この様に開口穴の大きさを変えスリット５を複数入れ、舌状片６を形成しカップ４と密に接触する位置で、受け皿１より下に垂れることを防止できる。【０００９】図３は、コーンの種類、カップの大きさによって開口穴７の大きさを変えなくても良い様に受け皿１、上面に設けられた開口穴７より延設されたスリット５を入れた上面図である。
また、一番小さいコーンやカップに対応する開口穴は９を使用し、一番大きいコーンやカップに対応する開口穴は１０を使用する。大から小以外の中間のサイズに対応するのは１１の位置で舌状片６が密に接するところで受け皿１より下に垂れる事を防止できる。【００１０】図４は、折り曲げずにそのままの使用も可能な受け皿から、上面方向に１２を折り曲げ、垂れを外周部より垂れ落ちないよう壁８を形成できる受け皿１である。【００１１】図５は、受け皿の外周部に折り込線１２や、切り込み線１３を入れどの様な形でも折り曲げる事により壁８ができる１例図である。【００１２】図６は、形デザインを重視した、フルーツ・動物・乗り物、キャラクターなどの受け皿１の１例図である。
【産業上の利用可能性】
【００１３】この考案は、ソフトクリームやアイスクリーム、ジェラートなどを食す時に関する器具である。
【図面の簡単な説明】
【００１４】
【図１】本考案に係わるソフトクリーム、アイスクリーム、ジェラートの垂れ防止受け皿をコーンに取り付けた状態の正面図である。
【図２】穴の大きさを変えるだけで、カップや容器にも対応できる受け皿の斜視図である。
【図３】受け皿上面にコーンやカップの入る開口穴を設け、コーンやカップの種類によって異なる開口穴の大きさにどれでも対応できる様にスリットを入れた上面図である。
【図４】折り曲げ立体的にした形の受け皿の斜視図である。
【図５】他にも考えられる、折り曲げ立体的にした受け皿の１例図である。
【図６】他にも考えられる、フルーツ、動物、乗り物、キャラクターなど折り曲げずにそのまま使用しても良い、型抜きされた受け皿である。
【符号の説明】
【００１５】  １・本考案の垂れ防止受け皿
２・コーン
３・コーンスリーブ又は、紙ナプキン
４・カップ
５・スリット
６・舌状片
７・受け皿上面にある、コーンやカップを入れる開口穴
８・受け皿外周部に折り曲げ形成された壁
９・一番小さいコーンの入る穴
１０・一番大きいコーンが入る穴
１１・大から小までの間のコーンに対応する位置
１２・折り込み線
１３・切込み
【図１】
0003145761.tif 000003
【図２】
0003145761.tif 000004
【図３】
0003145761.tif 000005
【図４】
0003145761.tif 000006
【図５】
0003145761.tif 000007
【図６】
0003145761.tif 000008